(57)【要約】【課題】回数券機能を有する非接触券を効率よく処理できるようにした非接触式自動改札機を提供する。【解決手段】入場に用いられる非接触式自動改札機であって、非接触券に記録されているデータを読取る読取手段と、読取られたデータ中から回数券に係るデータを抽出する抽出手段と、回数券に係るデータが抽出されたときに、前記非接触券に記録されているＳＦデータを用いた処理を行うことなく、入場駅に係る所定のデータを記録して入場を許可する入場許可制御手段とを有する。【選択図】      図３
2005038002.tif 000002
【特許請求の範囲】
【請求項１】
入場に用いられる非接触式自動改札機であって、
非接触券に記録されているデータを読取る読取手段と、
読取られたデータ中から回数券に係るデータを抽出する抽出手段と、
回数券に係るデータが抽出されたときに、前記非接触券に記録されているＳＦデータを用いた処理を行うことなく、入場駅に係る所定のデータを記録して入場を許可する入場許可制御手段と、
を有することを特徴とする非接触式自動改札機。
【請求項２】
請求項１に記載の非接触式自動改札機において、回数券に係るデータが抽出されないときに、非接触券に記録されているＳＦデータから所定の初乗運賃を減額処理する減額処理制御手段を設けたことを特徴とする非接触式自動改札機。
【請求項３】
出場用に用いられる非接触式自動改札機であって、
非接触券に記録されているデータを読取る読取手段と、
読取られたデータ中から回数券に係るデータを抽出する抽出手段と、
抽出された回数券の金額と今回の乗車に係る運賃とを照合する照合手段と、
照合一致が得られたときに前記非接触券を回数券として処理し、照合不一致のときにその非接触券をＳＦカードとして処理する処理制御手段と、
を有することを特徴とする非接触式自動改札機。
【発明の詳細な説明】
【０００１】
【発明の属する技術分野】
本発明は、非接触式自動改札機に係り、特に、回数券データを含む非接触券を効率よく処理することのできる非接触式自動改札機に関する。
【０００２】
【従来の技術】
近年、首都圏を中心とした鉄道においては、利用者（旅客）の利便向上を図るために、乗車券を無線通信機能を備えたＩＣカードからなる非接触券とし、改札口にこの非接触券を処理することのできる非接触式自動改札機が設置されるようになってきている。
【０００３】
改札口に設置される非接触式自動改札機は、利用者によって非接触券が非接触式自動改札機の本体に設けられているアンテナに軽くタッチされ、又はそのアンテナにかざされると（以下、タッチで説明する。）、非接触券と非接触式自動改札機の本体との間でデータ授受が行われるように構成されている。そして、非接触式自動改札機の本体では、非接触券から得られた定期券データやＳＦデータ（残額データ）等のカードデータに基づいて入出場（入場又は出場を意味している。）のための所定の演算処理が行われ、その演算処理の結果、入出場を許可できるときは、ドアが開かれて（非接触式自動改札機の本体がノーマルオープン型のときはそのまま）、改札通路の通過が許可され、その演算処理の結果、入出場を許可できないときは、ドアが閉じられて改札通路の通過が阻止されるように構成されている（特許文献１参照。）。
【０００４】
【特許文献１】特開２００３−９９８１７号公報
【０００５】
【発明が解決しようとする課題】
ところで、上記非接触券は、非接触券の本体のメモリ内に定期券データ及びＳＦデータ（金額データ）が記憶されているので、非接触券を定期券として使用することができるとともに、その定期券の乗車区間外では、ＳＦデータを普通乗車券と同様に用いて乗車できるという特長を有しているが、その非接触券を割引運賃の特典を受けることのできる回数券として使用することができないという欠点があった。
【０００６】
図４を用いてさらに説明すると、非接触券に定期券データ及びＳＦデータ以外に、１９０円の運賃区間（乗車料金区間）の回数券データが記録されているとした場合、すなわち、利用者が非接触券を購入するとき、１９００円を支払い、その料金で１９０円の運賃区間を１１回乗車できる回数券データが記録されているとした場合、その非接触券が甲駅から入場するときにその甲駅に設置されている非接触式自動改札機で用いられると、回数券の１回分が減算される。この回数券を用いた乗車が甲駅から１９０円区間の乙駅で使用されたときは何ら問題が生じないが、乙駅の手前の丙駅（甲駅から丙駅までの運賃を１４０円とする。）で出場すると、利用者は損失を受けてしまう。また、利用者が乙駅の先の丁駅で出場したときは、乙駅から丁駅までは新たな乗車とみなされて（乙駅から丁駅までの運賃を１４０円とする。）結果的に３３０円（１９０円＋１４０円）の運賃支払となり、甲駅から丁駅まで直接ＳＦデータを用いたときの運賃（甲駅から丁駅までの運賃を３２０円とする。）よりも高くなってしまうという欠点が発生する。このような不都合を防止するために、丙駅あるいは丁駅において、出場時に回数券使用をキャンセル処理してＳＦデータ使用とすることも考えられるが、このようなキャンセル処理を行おうとすると、非接触式自動改札機を管理している本社等の所定の中央に設置されているホストコンピュータへ送信したデータの取消しなどが必要となり現実的でない。
【０００７】
そこで、本発明は、上記欠点を解決するためになされたものであって、その目的は、非接触券を回数券として効率よく使用できるようにしたる非接触式自動改札機を提供することにある。
【０００８】
【課題を解決するための手段】
本発明に係る非接触式自動改札機は、上記目的を達成するために、請求項１に記載の発明は、入場に用いられる非接触式自動改札機であって、非接触券に記録されているデータを読取る読取手段と、読取られたデータ中から回数券に係るデータを抽出する抽出手段と、回数券に係るデータが抽出されたときに、前記非接触券に記録されているＳＦデータを用いた処理を行うことなく、入場駅に係る所定のデータを記録して入場を許可する入場許可制御手段と、を有することを特徴としている。
本発明の請求項２に記載の非接触式自動改札機は、回数券に係るデータが抽出されないときに、非接触券に記録されているＳＦデータから所定の初乗運賃を減額処理する減額処理制御手段を設けたことを特徴としている。
本発明に係る非接触式自動改札機は、上記目的を達成するために、請求項３に記載の発明は、出場用に用いられる非接触式自動改札機であって、非接触券に記録されているデータを読取る読取手段と、読取られたデータ中から回数券に係るデータを抽出する抽出手段と、抽出された回数券の金額と今回の乗車に係る運賃とを照合する照合手段と、照合一致が得られたときに前記非接触券を回数券として処理し、照合不一致のときにその非接触券をＳＦカードとして処理する処理制御手段と、を有することを特徴としている。
【０００９】
【発明の実施の形態】
以下、本発明の実施の形態を図面に基づいて説明する。図１は、本発明に係る非接触式自動改札機の本体（以下、「改札機本体」という。）Ｇを構成する一対の筐体のうちの一方の筐体Ｈの斜視図である。この筐体Ｈの上面には、非接触券Ｃと交信するためのアンテナａが設けられている。
【００１０】
筐体Ｈの改札通路Ｐの入口側には、改札機本体Ｇの使用状態、つまり改札通路Ｐを通過できるか否かを利用者に報知するための表示部１が設けられている。また、図１中、Ｓ，Ｓ…は、改札通路Ｐへの利用者の進入、又はその改札通路Ｐからの退出、あるいは通過を検知するための光電式の人間検知器であって、筐体Ｈの側面に所定の間隔を保って設けられている。さらに、この人間検知器は、筐体Ｈの上面の改札通路Ｐと反対側で、その改札通路Ｐの通過方向に沿って設けられたセンサ取付ボック２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【００１１】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ１  ，Ｄ２  がそれぞれ設けられている。また、筐体Ｈの上面のほぼ中央部には、利用者に対して文字により所定の案内を行うための表示画面４が取付けられている。
【００１２】
図１中、５は、改札機本体Ｇの動作を司どる制御器であり、マイクロコンピュータを中心に構成されている。そして、この制御器５には、非接触券Ｃとの間でデータの授受を行うための上述のアンテナａを接続したリーダライタＲ（後述の図２参照）が接続されている。
【００１３】
図２は、制御器５及び非接触券Ｃの電気的構成を示すブロック図である。制御器５側から説明すると、この制御器５のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ１  ，Ｄ２  を駆動制御するドア駆動ユニット２４と、スピーカ３を駆動制御する音声駆動ユニット２５と、人間検知器Ｓ，Ｓ…、Ｓ′，Ｓ′…の検知信号を入力するための人間検知器ユニット２６とが接続されている。なお、Ｉ／Ｏユニット２３には、表示画面４を駆動する表示画面駆動ユニット等も接続されているが、ここでは省略されている。
【００１４】
リーダライタＲには、非接触券Ｃと交信を行うためのアンテナａが接続されている。このアンテナａは、非接触券Ｃとデータ授受を行う機能と、非接触券Ｃに電力を供給する機能とが備えられている。
【００１５】
非接触券Ｃは、無線通信機能を有するＩＣカードと同様に構成されている。すなわち、この非接触券Ｃには、アンテナＡと、改札機本体Ｇ側と交信するための通信制御部３０と、その通信制御部３０とＩ／Ｏユニット３１を介して接続されているＣＰＵ３２と、システムプログラムデータ、定期券データ、ストアードフェアカード（ＳＦカード）データ及びカードＩＤデータ等の所定のカードデータの記憶されているメモリ３３と、改札機本体Ｇからの電力波をアンテナＡを介して受信し、非接触券Ｃの駆動電力を生成する電力生成回路３４とを有している。上記メモリ３３には、非接触券Ｃの識別情報（ＩＤ番号）が記憶されている以外に、そのメモリ３３の定期券データ記憶部ｍ１  には、非接触券Ｃが定期券として使用されるための乗車区間や有効期間等の所定の定期券データが記憶され、ＳＦデータ記憶部ｍ２  には、非接触券Ｃが定期券の乗車区間外（定期券データが有効期間切れ等により無効券のときは、定期券の乗車区間内も含む。）で使用されたときに、乗車運賃を減額処理する普通乗車券の機能を有するＳＦデータ（金額データ）が記憶されている。
【００１６】
メモリ３３の回数券データ記憶部ｍ３  は、非接触券Ｃが回数券として使用されるための所定の回数券データが記憶されている。この所定の回数券データは、非接触券Ｃを新たに購入するときに利用者の申出により、又は、非接触券Ｃを自動券売機等に組込まれている金額積増機を用いて更新処理（積増処理）するときに記憶される。
【００１７】
回数券データ記憶部ｍ３  に記憶される回数券データとしては、利用者が、例えば、１９０円の運賃区間（乗車区間）の回数券を希望するときは、１９００円（１９０×１０）の金額データ及び１９０円の運賃区間を１１回乗車できる金額式の所定の回数券データが記憶される。また、鉄道会社の回数券の運用に合わせて、例えば、土日回数券の場合のように、通常の回数券よりも割引率を大きくできるようにすることも可能であり、この場合は、回数券データに使用日時（曜日）データが付加される。
【００１８】
以下、上述の金額式の回数券データの記憶されている非接触券Ｃが改札機本体Ｇで使用されたときの制御動作を図３（ａ）のフローチャート及び図４の説明図を用いて説明する。今、利用者が甲駅に設置されている改札機本体Ｇを介して入場しようとして非接触券Ｃがアンテナａにタッチされ、非接触券Ｃと改札機本体Ｇとの間で交信が行われたとする（ステップ１００肯定。以下、ステップを「Ｓ」とする。）。
【００１９】
非接触券Ｃと改札機本体Ｇとの間で交信が行われると、非接触券Ｃのメモリ３３に記憶されているデータ（カードデータ）が改札機本体Ｇ（制御器５）により読取られ、その読取られたデータを基にＣＰＵ２０により所定の演算処理が行われて非接触券Ｃの有効性が判定される（Ｓ１０２）。この演算処理の結果、非接触券Ｃで入場を許可できないと判定されたとき、例えば、非接触券Ｃに前回の出場データが記録されていなかったり、あるいは、改札機本体Ｇの設置駅（甲駅）が定期券の乗車区間外であり、さらに、ＳＦデータも入場するためには不足するようなときは（Ｓ１０４否定）、ドアＤ１  が閉じられてスピーカ３及び表示画面４を介して係員処理等の所定の案内が行われる。
【００２０】
非接触券Ｃが有効券と判定され（Ｓ１０４肯定）、しかも、その非接触券Ｃに回数券データが含まれているときは（Ｓ１０６肯定）、非接触券Ｃのメモリ３２の所定の記憶部（図示せず）に甲駅から入場したことを示す所定の入場データ（甲駅を示すデータ及び入場日時データ等）が記録（記憶）され、また、ドアＤ１  が開かれて（改札機本体Ｇがノーマルオープン型のときはそのまま）利用者の入場が許可される（Ｓ１０８）。
【００２１】
非接触券Ｃが有効券と判定され（Ｓ１０４肯定）、しかも、その非接触券Ｃのメモリ３３に回数券データが含まれていないときは、従来と同様に、ＳＦデータ記憶部ｍ２  に記憶されているＳＦデータを用いた入場処理が行われる（Ｓ１０６否定）。この場合、ＳＦデータから初乗運賃が減額処理されるとともに、甲駅からの入場データが書込まれて入場が許可される。
【００２２】
次に、甲駅から入場（乗車）した利用者が他の駅で下車して出場するときの制御動作を図３（ｂ）のフローチャート及び図４の説明図を用いて説明する。今、利用者が乙駅で下車し、その乙駅に設置されている改札機本体Ｇのアンテナａにタッチされ、非接触券Ｃと改札機本体Ｇとの間で交信が行われたとする（Ｓ２００）。
【００２３】
非接触券Ｃと改札機本体Ｇとの間で交信が行われると、非接触券Ｃのメモリ３３に記憶されているデータ（カードデータ）が改札機本体Ｇ（制御器５）により読取られ、その読取られたデータを基にＣＰＵ２０により所定の演算処理が行われて非接触券Ｃの有効性が判定される（Ｓ２０２）。この演算処理の結果、非接触券Ｃで出場を許可できないと判定されたとき、例えば、非接触券Ｃに前回の出場データが記録されているようなときは（Ｓ２０４否定）、ドアＤ１  が閉じられてスピーカ３及び表示画面４を介して係員処理等の所定の案内が行われる。
【００２４】
非接触券Ｃが有効券と判定され（Ｓ２０４肯定）、しかも、その非接触券Ｃに回数券データが含まれているときは（Ｓ２０６肯定）、今回の乗車が回数券データ記憶部ｍ３  に記憶されている回数券データを用いた出場処理が可能か否かの判定が行われる。すなわち、今回の乗車の運賃（甲駅から入場したときの入場データと今回の乙駅のデータとから求められる運賃）が回数券データ記憶部ｍ３  に記憶されている金額データの金額と一致する場合、出場処理はその回数券データを用いて行われる（Ｓ２０８肯定、Ｓ２１０）。
【００２５】
すなわち、非接触券Ｃに記憶されている回数券の金額が図４に示されるように１９０円の場合で、今回の乗車区間の運賃も１９０円の場合は、回数券を用いた乗車と判定され、回数券データ記憶部ｍ３  に記憶されている回数券の使用残数が「１」減算される。なお、今回の乗車により回数券の残数が「０」になれば、非接触券Ｃは、次回から回数券としてしようできなくなるので、図示しない自動券売機などに組み込まれている積増機を用いて回数券データ記憶部ｍ３  への積増処理が行われる。
【００２６】
今回の乗車区間の運賃が回数券データ記憶部ｍ３  に記憶されている金額データと異なるとき、例えば今回の乗車区間が甲駅から丙駅まであり、そのときの運賃が１４０円の場合、あるいは、今回の乗車区間が甲駅から丁駅までであり、そのときの運賃が３１０円の場合は（Ｓ２０８否定）、ＳＦデータ記憶部ｍ２  に記憶されているＳＦデータ（残額データ）を用いた出場処理が行われる（Ｓ２１２）。したがって、この場合は、回数券データ記憶部ｍ３  に記憶されている回数券データを用いた処理を行うことなく、非接触券ＣのＳＦデータ記憶部ｍ２  に記憶されている金額から甲駅から丙駅までの運賃（１４０円）が減額処理され、あるいは甲駅から丁駅までの運賃（３１０円）が減額処理される。
【００２７】
【発明の効果】
本発明の請求項１に記載の非接触式自動改札機は、非接触券に記録されているデータを読取る読取手段と、読取られたデータ中から回数券に係るデータを抽出する抽出手段と、回数券に係るデータが抽出されたときに、前記非接触券に記録されているＳＦデータを用いた処理を行うことなく、入場駅に係る所定のデータを記録して入場を許可する入場許可制御手段とからなるので、回数券機能を有する非接触券を入場時に効率よく使用することができる。
本発明の請求項２に記載の非接触式自動改札機は、回数券に係るデータが抽出されないときに、非接触券に記録されているＳＦデータから所定の初乗運賃を減額処理する減額処理制御手段を設けたので、従来と同様に、非接触券に含まれているＳＦデータも効率よく処理することができる。
本発明の請求項３に記載の非接触式非接触式自動改札機は、非接触券に記録されているデータを読取る読取手段と、読取られたデータ中から回数券に係るデータを抽出する抽出手段と、抽出された回数券の金額と今回の乗車に係る運賃とを照合する照合手段と、照合一致が得られたときに前記非接触券を回数券として処理し、照合不一致のときにその非接触券をＳＦカードとして処理する処理制御手段とからなるので、出場時に回数券の使用が有利か否かが判断されるから、利用者が損失を受けることを防止することができる。
【図面の簡単な説明】
【図１】本発明の一実施の形態に係る改札機本体を構成する一対の筐体のうちの一方の筐体の斜視図である。
【図２】制御器及び非接触券のブロック図である。
【図３】制御動作を示すフローチャートである。
【図４】制御動作を示す説明図である。
【符号の説明】
Ｇ  非接触式自動改札機の本体（改札機本体）
Ｈ  筐体
Ｄ１  ，Ｄ２    ドア
Ｐ  改札通路
Ｓ，Ｓ′  人間検知器
ａ  アンテナ
５  制御器
２  センサ取付ボックス
３  スピーカ
４  表示画面
Ｃ  非接触券
ｍ１    定期券データ記憶部
ｍ２    ＳＦデータ記憶部
ｍ３    回数券データ記憶部
【図１】
2005038002.tif 000003
【図２】
2005038002.tif 000004
【図３】
2005038002.tif 000005
【図４】
2005038002.tif 000006